(57)【要約】【課題】貼り付け先の画像への他の画像の貼り付けを機械的に且つ一律に行う場合に比べ、貼り付け先の画像に他の画像を貼り付けて生成される合成画像の違和感を低減する。【解決手段】符号３Ａで示すように、シーン画像（の景観）の特徴を把握する。そして、この特徴を、符号３Ｂで示す貼付画像に反映する。そして、符号３Ｃで示す、特徴反映後の貼付画像を、シーン画像に貼り付ける。これにより、符号３Ｄに示すように、シーン画像の違和感が小さくなる。【選択図】図３
2015225476.tif 000002
【特許請求の範囲】
【請求項１】
貼り付け先の画像である第１の画像と、当該第１の画像に貼り付けられる第２の画像とを合成し、当該第１の画像の中に当該第２の画像が含まれた合成画像を生成する合成画像生成手段と、
前記第１の画像の特徴量を取得する特徴量取得手段と、
前記特徴量取得手段により取得された前記第１の画像の前記特徴量を用い、当該第１の画像の特徴を前記第２の画像に反映する反映手段と、
を備える画像処理装置。
【請求項２】
前記特徴量取得手段は、前記第１の画像の一部の特徴量を取得し、
前記反映手段は、前記第１の画像の前記一部の特徴量を用い、当該第１の画像の特徴の前記第２の画像への反映を行うことを特徴とする請求項１に記載の画像処理装置。
【請求項３】
前記特徴量取得手段は、前記第１の画像の前記一部の特徴量を取得するに際し、当該第１の画像のうちの、前記第２の画像が配置される箇所の周囲に位置する部分の特徴量を取得することを特徴とする請求項２に記載の画像処理装置。
【請求項４】
前記反映手段は、前記第１の画像の特徴を、前記第２の画像の一部に反映することを特徴とする請求項１乃至３の何れかに記載の画像処理装置。
【請求項５】
前記第２の画像に対する前記第１の画像の特徴の反映度合いを示す調整値をユーザから取得する調整値取得手段を更に備えることを特徴とする請求項１乃至４の何れかに記載の画像処理装置。
【請求項６】
貼り付け先の画像である第１の画像と、当該第１の画像に貼り付けられる第２の画像とを合成し、当該第１の画像の中に当該第２の画像が含まれた合成画像を生成する合成画像生成機能と、
前記第１の画像の特徴量を取得する特徴量取得機能と、
前記特徴量取得機能により取得された前記第１の画像の特徴量を用い、当該第１の画像の特徴を前記第２の画像に反映する反映機能と、
をコンピュータに実現させるためのプログラム。
【発明の詳細な説明】
【技術分野】
【０００１】
本発明は、画像処理装置およびプログラムに関する。
【背景技術】
【０００２】
特許文献１には、第２の画像の明度成分を第１の画像の明度成分に混合して新たな明度成分を作成する手段を具備し、第１の画像の色度成分と合成した明度成分とを組み合わせることにより合成した第３の画像を形成する画像処理装置が開示されている。
また、非特許文献１には、画像の輝度および色度の統計量を一致させることで複数の画像間の印象をマッチさせる手法が提案されている。
【先行技術文献】
【特許文献】
【０００３】
【特許文献１】特開平１１−３３１５５４号公報
【非特許文献】
【０００４】
【非特許文献１】Reinhard, E., Ashikhmin, M., Gooch, B., And Shirley, P. 2001. Color transfer between images. IEEE Computer Graphics and Applications 21, 34-41.
【発明の概要】
【発明が解決しようとする課題】
【０００５】
ここで、貼り付け先の画像に対して他の画像の貼り付けを行って合成画像を生成するに際して、この貼り付けを機械的に且つ一律に行ってしまうと、この他の画像が貼り付け先の画像に溶け込まずに、合成後の画像に違和感が生じることがある。
本発明の目的は、貼り付け先の画像への他の画像の貼り付けを機械的に且つ一律に行う場合に比べ、貼り付け先の画像に他の画像を貼り付けて生成される合成画像の違和感を低減することにある。
【課題を解決するための手段】
【０００６】
請求項１に記載の発明は、貼り付け先の画像である第１の画像と、当該第１の画像に貼り付けられる第２の画像とを合成し、当該第１の画像の中に当該第２の画像が含まれた合成画像を生成する合成画像生成手段と、前記第１の画像の特徴量を取得する特徴量取得手段と、前記特徴量取得手段により取得された前記第１の画像の前記特徴量を用い、当該第１の画像の特徴を前記第２の画像に反映する反映手段と、を備える画像処理装置である。
請求項２に記載の発明は、前記特徴量取得手段は、前記第１の画像の一部の特徴量を取得し、前記反映手段は、前記第１の画像の前記一部の特徴量を用い、当該第１の画像の特徴の前記第２の画像への反映を行うことを特徴とする請求項１に記載の画像処理装置である。
請求項３に記載の発明は、前記特徴量取得手段は、前記第１の画像の前記一部の特徴量を取得するに際し、当該第１の画像のうちの、前記第２の画像が配置される箇所の周囲に位置する部分の特徴量を取得することを特徴とする請求項２に記載の画像処理装置である。
請求項４に記載の発明は、前記反映手段は、前記第１の画像の特徴を、前記第２の画像の一部に反映することを特徴とする請求項１乃至３の何れかに記載の画像処理装置である。
請求項５に記載の発明は、前記第２の画像に対する前記第１の画像の特徴の反映度合いを示す調整値をユーザから取得する調整値取得手段を更に備えることを特徴とする請求項１乃至４の何れかに記載の画像処理装置である。
請求項６に記載の発明は、貼り付け先の画像である第１の画像と、当該第１の画像に貼り付けられる第２の画像とを合成し、当該第１の画像の中に当該第２の画像が含まれた合成画像を生成する合成画像生成機能と、前記第１の画像の特徴量を取得する特徴量取得機能と、前記特徴量取得機能により取得された前記第１の画像の特徴量を用い、当該第１の画像の特徴を前記第２の画像に反映する反映機能と、をコンピュータに実現させるためのプログラムである。
【発明の効果】
【０００７】
請求項１の発明によれば、貼り付け先の画像への他の画像の貼り付けを機械的に且つ一律に行う場合に比べ、貼り付け先の画像に他の画像を貼り付けて生成される合成画像の違和感を低減できる。
請求項２の発明によれば、貼り付け先の画像の印象が一様ではない場合にも合成画像の違和感を低減することができる。
請求項３の発明によれば、画像が貼り付らけれる部分の周囲に位置する周囲部分と、周囲部分以外の部分とで、貼り付け先画像の印象が異なる場合でも、合成画像の違和感を低減できる。
請求項４の発明によれば、合成画像の違和感を低減しつつ、貼り付けられる画像の特徴を部分的に残せるようになる。
請求項５の発明によれば、特徴の反映度合いを示す調整値をユーザから取得する手段を備えていない場合に比べ、ユーザに与えられる違和感がより少ない合成画像を生成することができる。
請求項６の発明によれば、貼り付け先の画像への他の画像の貼り付けを機械的に且つ一律に行う場合に比べ、貼り付け先の画像に他の画像を貼り付けて生成される合成画像の違和感を低減できる。
【図面の簡単な説明】
【０００８】
【図１】本発明の実施形態に係る画像処理装置のハードウェア構成を例示したブロック図である。
【図２】画像処理装置における処理例を示した図である。
【図３】シーン画像への貼付画像の貼り付けに際し、制御部にて実行される処理の概要を示した図である。
【図４】シーン画像への貼付画像の貼り付けに際し、制御部にて実行される処理の流れを示したフローチャートである。
【図５】特徴獲得部にて実施される処理を説明する図である。
【図６】画像処理装置にて行われる処理の一例を示した図である。
【図７】シーン画像の特徴を把握する際の処理を説明する図である。
【図８】シーン画像の一部の特徴を貼付用画像に反映して特徴反映済みシーン画像を生成する際の処理の流れを示した図である。
【図９】画像処理装置にて行われる他の処理例を示した図である。
【図１０】添付画像の一部に対してシーン画像の特徴を反映する際に制御部にて実行される処理の流れを示した図である。
【図１１】画像処理装置にて行われる他の処理の一例を示した図である。
【図１２】添付画像への特徴の反映度を変化させる際に制御部にて実行される処理の流れを示した図である。
【図１３】画像処理装置にて行われる表示処理の他の一例を示した図である。
【発明を実施するための形態】
【０００９】
以下、添付図面を参照して、本発明の実施の形態について説明する。
図１は、本発明の実施形態に係る画像処理装置１のハードウェア構成を例示したブロック図である。本実施形態の画像処理装置１には、制御部１００、記憶部２００、表示部３００、操作部４００、画像取得部５００が設けられている。
【００１０】
制御部１００は、ＣＰＵ（Central Processing Unit）、ＲＯＭ（Read Only Memory）、ＲＡＭ（Random Access Memory）（何れも不図示）を備えている。
ＲＯＭは、ＣＰＵにより実行される制御プログラムを記憶している。ＣＰＵは、ＲＯＭに記憶されている制御プログラムを読み出し、ＲＡＭを作業エリアにして制御プログラムを実行する。ＣＰＵにより制御プログラムが実行されることで、後述する画像貼り付け部１１などの各機能部が実現される。
【００１１】
なお、ＣＰＵによって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で、画像処理装置１へ提供しうる。また、インターネットなどの通信手段を用い、画像処理装置１へダウンロードしてもよい。
【００１２】
記憶部２００は、例えばハードディスク装置により構成され、画像データなどの各種データを記憶する。
表示部３００は、例えば、液晶のタッチパネルディスプレイにより構成され、制御部１００による制御の下、例えば、画像データに基づく画像を表示する。
【００１３】
操作部４００は、ユーザによる操作がなされる部分であり、ユーザにより入力される情報を取得する。操作部４００は、例えば液晶のタッチパネルディスプレイにより構成される。ここで、操作部４００および表示部３００が、液晶のタッチパネルディスプレイにより構成される場合は、操作部４００と表示部３００とが、共通の部材により構成されることになる。なお、操作部４００は、マウスやキーボードなどにより構成してもよい。
【００１４】
画像取得部５００は、ユーザから提供された画像（画像データ）の取得を行う。具体的には、後述するシーン画像や、貼り付け元画像などの取得を行う。画像取得部５００は、例えば、外部機器に接続される接続インタフェースにより構成される。また、本実施形態では、画像取得部５００にて画像が取得されると、記憶部２００にこの画像が出力され、記憶部２００に画像が格納される。
【００１５】
図２は、画像処理装置１における処理例を示した図である。
図２では、同図（Ａ）に示すシーン画像（貼り付け先画像）に対して、同図（Ｂ）に示す、貼り付け元画像の一部を貼り付け、同図（Ｃ）あるいは同図（Ｄ）に示す合成画像を生成する処理を示している。
【００１６】
より具体的には、同図（Ａ）に示す、室内を示すシーン画像に対して、同図（Ｂ）の貼り付け元画像に含まれる、「植木鉢」（屋外に置かれた「植木鉢」）の画像を貼り付け、「植木鉢」が置かれた室内の合成画像を生成する場合を例示している。
なお、以下、本明細書では、この「植木鉢」のように、シーン画像に貼り付けられる画像を「貼付画像」と称することがある。
【００１７】
ここで、単に、シーン画像に対して貼付画像を貼り付けてしまうと、違和感のある合成画像が生成されやすくなる。図２を参照して具体的に説明すると、室内を示すシーン画像に対して、屋外に置かれた「植木鉢」の画像を貼り付けてしまうと、同図（Ｃ）に示すように、違和感のある合成画像が生成されやすくなる。
一方で、以下に説明する、本実施形態の処理では、シーン画像の特徴（景観の特徴）が、「植木鉢」の画像に反映されるようになり、同図（Ｄ）に示すように、違和感が少ない合成画像が生成される。
【００１８】
図３は、シーン画像への貼付画像の貼り付けに際し、制御部１００にて実行される処理の概要を示した図である。
本実施形態における処理では、同図の符号３Ａで示すように、シーン画像の特徴（特徴量）を把握する。そして、この特徴を、符号３Ｂで示す貼付画像に反映する。これにより、符号３Ｃで示す、特徴反映後の貼付画像が生成される。次いで、特徴反映後のこの添付画像を、シーン画像に貼り付ける。これにより、符号３Ｄに示すように、シーン画像の違和感が小さくなる。
【００１９】
図４は、シーン画像への貼付画像の貼り付けに際し、制御部１００にて実行される処理の流れを示したフローチャートである。
本実施形態の処理では、まず、貼り付け元画像（図２（Ｂ）参照）に対するユーザの操作が行われ、上記「植木鉢」のような貼付画像が、貼り付け元画像から切り取られて取得される。そして、この貼付画像が、合成画像生成手段として機能する画像貼り付け部１１に入力される。
【００２０】
画像貼り付け部１１では、シーン画像（第１の画像）に対する貼付画像（第２の画像）の貼り付けが行われて、シーン画像の中に貼付画像が含まれた合成画像が生成される。
付言すると、本実施形態では、シーン画像への貼付画像の貼り付けに先だって、シーン画像が記憶部２００（図１）から、画像貼り付け部１１に出力されている。
そして、画像貼り付け部１１に貼付画像が入力されると、シーン画像への添付画像の貼り付けが行われ、貼付画像の貼り付けが行われたシーン画像（以下、このシーン画像を「貼り付け済みシーン画像」と称する）が生成される。その後、この貼り付け済みシーン画像が、特徴反映部（特徴マージ部）１３に出力される。
【００２１】
一方、記憶部２００から出力されたシーン画像は、特徴量取得手段として機能する特徴獲得部１２にも入力され、この特徴獲得部１２によって、シーン画像の特徴（特徴量）が取得される。そして、この特徴についての情報である特徴情報が、特徴反映部１３に出力される。
【００２２】
次いで、反映手段として機能する特徴反映部１３が、この特徴情報に基づき、貼付画像に対して、シーン画像の特徴を反映する。これにより、シーン画像の特徴が貼付画像に反映された、貼り付け済みシーン画像が生成される（以下、このシーン画像を、「特徴反映済みシーン画像」と称する）。付言すると、図３の符号３Ｄで示したような画像が生成される。
【００２３】
ここで、特徴獲得部１２における処理について説明すると、この特徴獲得部１２では、図５（特徴獲得部１２にて実施される処理を説明する図）の、（ａ２）、（ｂ２）、（ｃ２）で示すように、Ｌ＊，ａ＊，ｂ＊色空間において、シーン画像全体のＬ＊，ａ＊，ｂ＊の画素値の平均である、Ｅ（Ｌ＊scene），Ｅ（ａ＊scene），Ｅ（ｂ＊scene）が、特徴量として算出される。また、シーン画像全体のＬ＊，ａ＊，ｂ＊の分散である、Ｖ（Ｌ＊scene），Ｖ（ａ＊scene），Ｖ（ｂ＊scene）も、特徴量として算出される。
【００２４】
特徴反映部１３では、特徴獲得部１２にて算出された、上記平均および分散を用い、さらに、次の数式（１）〜（３）を用い、添付画像のＬａｂ値（ＣＩＥ Ｌａｂ値）を画素ごとに調整する。
【００２５】
2015225476.tif 000003
【００２６】
なお、数式（１）〜（３）において、Ｌ＊，ａ＊，ｂ＊は、調整前の貼付画像の画素値を示し、Ｌ＊’，ａ＊’，ｂ＊’は、調整後の貼付画像の画素値を示している。
また、Ｅ（Ｌ＊clip），Ｅ（ａ＊clip），Ｅ（ｂ＊clip）は、図５の（ａ１）、（ｂ１）、（ｃ１）にも示すように、添付画像（特徴反映前の添付画像）のＬ＊，ａ＊，ｂ＊の値の平均値であり、Ｖ（Ｌ＊clip），Ｖ（ａ＊clip），Ｖ（ｂ＊clip）は、図５の（ａ１）、（ｂ１）、（ｃ１）に示すように、添付画像（特徴反映前の添付画像）のＬ＊，ａ＊，ｂ＊の値の分散である。
【００２７】
図６は、画像処理装置１にて行われる処理の一例を示した図である。なお、図６では、画像処理装置１が、いわゆるタブレット端末により構成された場合を例示している。
この処理では、同図（Ａ）に示すように、一つの画面上に、貼り付け元画像と、シーン画像とが表示されている。なお、貼り付け元画像の方が、シーン画像よりも大きく表示されている。
【００２８】
そして、この処理では、同図（Ａ）に示すように、貼り付け元画像に含まれる貼付画像の輪郭をユーザがなぞるなどして、貼付画像を、貼り付け元画像から分離する。なお、この例では、タッチパネルを操作して、貼付画像の分離を行うが、マウスなどを操作して、添付画像の分離を行ってもよい。また、添付画像の分離は、領域を直接指定する方法の他に、グラフカットやグローカットなどを用いるようにしてもよい。
【００２９】
その後、同図（Ａ）の矢印に示すように、ドラッグ＆ドロップ操作で、貼付画像を、画面右下に位置するシーン画像まで移動する。これにより、同図（Ｂ）に示すように、貼り付け元画像が消え、これに替わり、シーン画像が表示される。次いで、ユーザが、貼付画像を、シーン画像のうちのユーザが希望する箇所まで移動して、表示画面上から手を離す。これより、同図（Ｃ）に示すように、貼付画像がシーン画像に貼り付けられる。また、貼付画像に対して、シーン画像の特徴が反映され、画像全体の違和感が小さくなる。
【００３０】
なお、シーン画像の特徴は、シーン画像の全体から把握するようにしてもよいし、シーン画像の一部から把握するようにしてもよい。
図７（シーン画像の特徴を把握する際の処理を説明する図）を参照して具体的に説明すると、例えば、シーン画像のうち、貼付画像が貼られる部分（添付画像が配置される箇所）の周囲に位置する部分の特徴を把握する。さらに具体的には、例えば、シーン画像のうち、添付画像の周囲に位置する部分であって、添付画像とシーン画像との境界から、３０ピクセル分の画像の特徴を把握する。
【００３１】
ここで、例えば、シーン画像中に明るい部分と暗い部分とが存在している状態にて、この暗い部分に、貼付画像が貼り付けられる場合、シーン画像の全体の特徴を反映するよりも、貼付画像の周囲の画像の特徴を貼付画像に反映した方が、違和感が少なくなりやすい。このため、図７に示す例では、シーン画像のうち、貼付画像が貼られる部分の周囲に位置する部分の特徴を把握する。
【００３２】
また、他の例として、添付画像の周囲に限らず、周囲以外の部分の特徴を把握してもよい。より具体的には、例えば、色度や輝度、周波数帯域の類似性に基づき、特徴の把握を行う部分（領域）を自動で決定するようにしてもよい。
【００３３】
図８は、シーン画像の一部の特徴を貼付用画像に反映して特徴反映済みシーン画像を生成する際の処理の流れを示した図である。なお、基本的な処理は、図４にて示した処理と同様であり、ここでは、図４とは異なる部分を説明する。
この処理では、特徴獲得領域決定部１４によって、タッチパネル上に表示されているシーン画像に対するユーザの操作（タッチパネルに対する操作）が検知され、この操作に基づき、シーン画像のうちの特徴を把握する領域が決定される。
なお、ここでは、タッチパネルに対するユーザの操作に基づき、特徴を把握する領域を決定したが、マウスなどの機器をユーザが操作する形態では、この機器に対するユーザの操作に基づき、領域を把握する。
【００３４】
そして、本実施形態では、特徴を把握する領域を示す領域情報が、特徴獲得領域決定部１４から、特徴獲得部１２へ出力される。
特徴獲得部１２は、シーン画像のうちの、上記領域情報により特定される領域に位置する部分の特徴を把握する。具体的には、図５の（ａ２）、（ｂ２）、（ｃ２）にて示した、Ｌ＊，ａ＊，ｂ＊の画素値の平均である、Ｅ（Ｌ＊scene），Ｅ（ａ＊scene），Ｅ（ｂ＊scene）、Ｌ＊，ａ＊，ｂ＊の分散である、Ｖ（Ｌ＊scene），Ｖ（ａ＊scene），Ｖ（ｂ＊scene）を、領域情報により特定される領域について取得する。
【００３５】
その後、特徴獲得部１２により取得された特徴情報が、特徴反映部１３に出力され、特徴反映部１３では、貼り付け済みシーン画像に対する特徴の反映が行われる。これにより、特徴が反映されたシーン画像である特徴反映済みシーン画像が生成される。付言すると、上記式（１）〜（３）が用いられて、特徴を反映した後のシーン画像の、Ｌａｂの画素値が取得される。
【００３６】
図９は、画像処理装置１にて行われる他の処理例を示した図である。
この処理では、添付画像の全てに対して、シーン画像の特徴を反映するのではなく、添付画像の一部に対して、シーン画像の特徴を反映する。具体的には、同図（Ｂ）に示すように、例えば、添付画像の輪郭に近い部分に対して、シーン画像の特徴を反映する。より具体的には、例えば、貼付画像の輪郭よりも内側の指定ピクセル分を特徴反映領域とし、この領域に、シーン画像の特徴を反映する。このように、添付画像の一部に対して特徴を反映する場合、特徴反映済みシーン画像の違和感を低減しつつ、添付画像の特徴を部分的に残せるようになる。
【００３７】
なお、添付画像のうちの特徴の反映を行う部分は、ユーザからの指示に基づき決定してもよいし、色度や輝度、周波数帯域の類似性に基づき、自動で決定してもよい。
また、図９に示す例では、添付画像の輪郭の部分（輪郭に近い部分）に対して、特徴の反映を行ったが、これ以外に、たとえば、添付画像の内部の部分に対して、特徴を反映するようにしてもよい。また、例えば、添付画像が「植木鉢」である場合には、「植木の部分」にのみに特徴を反映したり、「鉢」の部分のみに特徴を反映したりしてもよい。
【００３８】
図１０は、添付画像の一部に対してシーン画像の特徴を反映する際に制御部１００にて実行される処理の流れを示した図である。なお、基本的な処理は、図４にて示した処理と同様であり、ここでは、図４とは異なる部分を説明する。
この図１０に示す処理では、特徴反映領域決定部１５によって、タッチパネル上に表示されている貼付画像に対するユーザの操作が検知され、この検知結果に基づき、添付画像のうちの特徴を反映する領域を決定する。
【００３９】
そして、特徴を反映する領域である特徴反映領域についての情報が、特徴反映部１３に出力される。なお、ここでは、タッチパネルに対するユーザの操作に基づき、特徴を反映する領域を決定したが、上記と同様、マウスなどの外部機器を介してユーザから入力される情報に基づき、特徴を反映する領域を決定してもよい。
【００４０】
特徴反映部１３は、貼付画像に対して、シーン画像の特徴を反映する際、添付画像のうちの、上記特徴反映領域により特定される領域に対して、シーン画像の特徴を反映する。
より具体的には、特徴反映部１３では、上記式（１）〜（３）が用いられて、特徴を反映した後の貼付画像の、Ｌａｂの画素値が取得される。
なお、この式（１）〜（３）を用いるにあたっては、この式におけるＥ（Ｌ＊clip），Ｅ（ａ＊clip），Ｅ（ｂ＊clip）は、特徴反映領域のＬ＊，ａ＊，ｂ＊の値の平均値となり、Ｖ（Ｌ＊clip），Ｖ（ａ＊clip），Ｖ（ｂ＊clip）は、特徴反映領域のＬ＊，ａ＊，ｂ＊の値の分散となる。
【００４１】
図１１は、画像処理装置１にて行われる他の処理の一例を示した図である。
図１１（Ａ）〜（Ｃ）は、何れも、添付画像への特徴の反映を行った特徴反映済みシーン画像を示している。この処理例では、添付画像への特徴の反映度合いを変化させられるようになっており、反映度合いを変化させると、同図（Ａ）〜（Ｃ）に示すように、添付画像の状態が変化する。これにより、ユーザは、自身の好みにより近い特徴反映済みシーン画像を得られるようになる。
【００４２】
図１２は、添付画像への特徴の反映度を変化させる際に制御部１００にて実行される処理の流れを示した図である。なお、上記と同様、基本的な処理は、図４にて示した処理と同様であり、ここでは、図４とは異なる部分を説明する。
図１２にて示すこの処理では、添付画像への特徴の反映度合いを変化させる反映度調整部１６に対して、画像貼り付け部１１により生成された貼り付け済みシーン画像、および、特徴反映部１３により生成された特徴反映済みシーン画像が入力される。
【００４３】
なお、特徴反映部１３では、シーン画像の特徴を、１００％、添付画像に反映する処理を行い、シーン画像の特徴の反映度が１００％の貼付画像を有するシーン画像が生成される。このため、反映度調整部１６には、シーン画像の特徴の反映度が１００％の貼付画像を有する特徴反映済みシーン画像が入力される。
その一方で、貼り付け済みシーン画像においては、添付画像への特徴の反映が未だ行われておらず、反映度調整部１６には、シーン画像の特徴の反映度が０％の貼付画像を有する貼り付け済みシーン画像が入力される。
【００４４】
また、本実施形態では、添付画像に対するシーン画像の特徴の反映度合いを示す調整値をユーザから取得する調整値取得手段として機能するパラメータ獲得部１７が設けられている。パラメータ獲得部１７は、タッチパネル（表示画面）に対するユーザの操作を検知し、ユーザによって入力されるパラメータαを獲得する。
そして、パラメータ獲得部１７にてパラメータαが獲得されると、パラメータ獲得部１７から反映度調整部１６へ、パラメータαが出力される。ここで、パラメータαは、上記のとおり、シーン画像の特徴の、添付画像への反映の度合いを示しており、αは、０以上且つ１以下（０≦α≦１）となっている。
【００４５】
反映度調整部１６は、パラメータαを受け付けると、このパラメータαと、次の式（４）〜（６）とを用い、貼り付け済みシーン画像と、特徴反映済みシーン画像との合成を行い、合成画像を得る。
【００４６】
2015225476.tif 000004
【００４７】
ここで、式（４）〜（６）の各々において、Ｌ＊pasted，ａ＊pasted，ｂ＊pastedは、貼り付け済みシーン画像の画素値、Ｌ＊merged，ａ＊merged，ｂ＊mergedは、特徴反映済みシーン画像の画像値、Ｌ＊’，ａ＊’，ｂ＊’は、合成画像の画素値である。
ここで、本実施形態では、ユーザがパラメータαを変化させると、合成画像における、貼り付け済みシーン画像、特徴反映済みシーン画像の各々の割合が変化する。これにより、ユーザは、自身の好みにより近い特徴反映済みシーン画像を得られるようになる。また、この処理では、ユーザがパラメータαを小さくすることで、合成画像の違和感を低減しつつ、貼付画像が有していた元々の特徴を残せるようになる。
【００４８】
図１３は、画像処理装置１にて行われる表示処理の他の一例を示した図である。なお、本図でも、画像処理装置１が、いわゆるタブレット端末により構成された場合を例示している。
この処理では、上記図６にて示した処理と同様、図１３（Ａ）に示すように、一つの画面上に、貼り付け元画像と、シーン画像とが表示されている。そして、貼り付け元画像に含まれる貼付画像の輪郭の部分をユーザがなぞるなどして、貼付画像を、貼り付け元画像から分離し、貼付画像を生成する。
【００４９】
その後、同図（Ａ）の矢印に示すように、ドラッグ＆ドロップ操作で、貼付画像を、画面右下に位置するシーン画像まで移動する。これにより、同図（Ｂ）に示すように、貼り付け元画像が消え、これに替わり、シーン画像が表示される。次いで、ユーザが、貼付画像を、シーン画像のうちのユーザが希望する箇所まで移動して、表示画面上から手を離す。これより、貼付画像がシーン画像に貼り付けられる。
【００５０】
その後、同図（Ｃ）に示すように、タッチパネル上にて、ユーザが、指を左右にスライド移動させる。そして、このスライド移動が行われると、このスライド移動に基づき（ユーザの指の移動量に基づき）、パラメータ獲得部１７が、上記パラメータαを獲得する。
具体的には、例えば、ユーザの指が図１３（Ｃ）にて、左方向へスライド移動した場合には、小さい値のパラメータαを獲得し、ユーザの指が右方向へスライド移動した場合には、大きい値のパラメータαを獲得する。
そして、パラメータαが獲得されると、このパラメータαにより決定される割合で、貼り付け済みシーン画像と、特徴反映済みシーン画像との合成が行われ、図１３（Ｄ）に示すように、新たな特徴反映済みシーン画像が生成される。
【００５１】
（その他）
上記では、画像処理装置１が、いわゆるタブレット端末により構成された場合を一例に説明したが、画像処理装置１は、モニタ、キーボード、マウスなどを備えたＰＣ（Personal Computer）により構成してもよい。
また、上記では、いわゆるスワイプ操作で、パラメータαを変化させる場合を説明したが、表示画面上に、スライド移動する表示ボタンを表示し、この表示ボタンをユーザが移動させることで、パラメータαを変化させる態様も考えられる。また、テンキー（ハードキー、ソフトキーの何れもでもよい）を用い、パラメータαの数値を直接入力するようにしてもよい。さらに、マウスなどで、パラメータαを入力するようにしてもよい。
【００５２】
また、上記の実施形態では、Ｌ＊，ａ＊，ｂ＊色空間で画質調整を行う例を示したが、画像の印象を変化させることができる色空間であれば他の色空間を用いてもよく、例えば、ＲＧＢ色空間、Ｌαβ色空間、ＩＰＴ色空間などの色空間で、同様の画質調整を行ってもよい。
また、画像貼り付け部１１では、単純に画像の一部分を切り取ってもう一方の画像に貼り付ける以外のいかなる方法で画像を貼り付けてもよい。例えば、ポアソン方程式を解いて繋ぎ目を目立たなくする方法、α合成などの方法を利用してもよい。
さらに、本実施形態では、景観を映した画像であるシーン画像の特徴を把握して、この特徴を貼付画像に反映する処理を説明したが、特徴を把握する画像は、このようなシーン画像に限らず、景観以外を映した画像から特徴を把握して、この特徴を貼付画像に反映するようにしてもよい。
また、本実施形態では、Ｌ＊，ａ＊，ｂ＊の各画像値をシーン画像の特徴として把握する場合を一例に説明したが、その他に、例えば、シーン画像の光沢についてのヒストグラム情報を特徴として取得し、このヒストグラム情報を用いて、シーン画像の特徴を貼付画像に反映するようにしてもよい。この場合、光沢の具合が、シーン画像と貼付画像との間で類似するようになる。
【符号の説明】
【００５３】
１…画像処理装置、１１…画像貼り付け部、１２…特徴獲得部、１３…特徴反映部、１７…パラメータ獲得部
【図１】
2015225476.tif 000005
【図２】
2015225476.tif 000006
【図３】
2015225476.tif 000007
【図４】
2015225476.tif 000008
【図５】
2015225476.tif 000009
【図６】
2015225476.tif 000010
【図７】
2015225476.tif 000011
【図８】
2015225476.tif 000012
【図９】
2015225476.tif 000013
【図１０】
2015225476.tif 000014
【図１１】
2015225476.tif 000015
【図１２】
2015225476.tif 000016
【図１３】
2015225476.tif 000017